(57)【要約】【課題】  簡単且つ安価な構造で容易にセードの着脱及び回動ができる照明装置を提供すること。【解決手段】  ソケット13を有する頭部３と、前記ソケット13に取り付けられる光源たる蛍光灯14と、この蛍光灯14を覆うセード５よりなる灯具Ｌを有する電気スタンドにおいて、前記頭部３に略円弧状の第一及び第二の摺動受部15，16を形成し、これらの摺動受部15，16に夫々対応して摺動可能に係合する突起部たる第一及び第二の爪部23，25を前記セード５に設けると共に、前記各摺動受部15，16を略並行に設け、且つ、前記各爪部23，25同士の突出方向が正反対となるように形成したことで、前記各摺動受部15，16に、夫々爪部23，25を係合させることで、前記セード５が前記頭部３に対して回動可能な状態で簡単に取り付けることができ、前記各摺動受部15，16と各突起部23，25の係合を解くだけで、前記セード５を前記頭部３から簡単に取り外すことができる。【選択図】図６
2005203136.tif 000002
【特許請求の範囲】
【請求項１】
ソケットを有する頭部と、この頭部のソケットに取り付けられる光源と、この光源を覆うセードよりなる灯具を有する電気スタンドにおいて、
前記頭部又はセードの何れか一方に略円弧状の摺動受部を少なくとも一対形成し、これらの摺動受部に夫々対応して摺動可能に係合する突起部を前記セード又は頭部の何れか一方に設けると共に、前記各摺動受部を実質的に略平行に設け、且つ、前記各摺動受部に対応して設けられた前記突起部同士の突出方向を違えて形成したことを特徴とする電気スタンド。
【請求項２】
ソケットを有する頭部と、この頭部のソケットに取り付けられる光源と、この光源を覆うセードよりなる灯具を有する電気スタンドにおいて、
前記頭部に、前記頭部の軸方向に並べて、略円弧状の摺動受部及び突起部を形成し、これらの摺動受部及び突起部に夫々対応して摺動可能に係合する突起部及び摺動受部を前記セードに設けると共に、前記各摺動受部を実質的に略平行に設け、且つ、前記頭部又はセードの一方に形成された前記摺動受部と突起部によって、前記セード又は頭部の他方に形成された前記摺動受部と突起部を挟むように、前記各突起部を、前記頭部の軸回り方向及び前記摺動受部の半径方向と交差する方向に突出して形成したことを特徴とする電気スタンド。
【請求項３】
前記突起部が、突出方向の異なる前記突起部同士を結んだ線に対して斜めに交差するか又は平行となる方向に突出して形成されたことを特徴とする請求項１乃至２記載の電気スタンド。
【請求項４】
少なくとも、一つの前記摺動受部に対応する前記突起部を、前記セード又は頭部に設けられた弾性変形可能な腕部に設けたことを特徴とする請求項１乃至２記載の電気スタンド。
【発明の詳細な説明】
【技術分野】
【０００１】
本発明は電気スタンドに関するものであり、特に、机上等の載置面に載置して用いられる電気スタンドに関するものである。
【背景技術】
【０００２】
従来、この種の電気スタンドとしては、例えば、ランプ（本発明における光源に該当する）を取り付けた灯具のセードを、その端部でアームの上端に回動機構を介して回動自在に連結したものが知られている（例えば、特許文献１参照。）。そして、この特許文献１においては、前記セードに対してソケット及びランプが取り付けられており、セードを回動させることで照明の向きを調節できるようになっている。また、アームに取付板を取り付け、この取付板に直管形のランプ（本発明における光源に該当する）を保持するソケットを設け、円筒状に形成されたセードで取付板およびランプを囲むと共に、前記取付板に止めカバーを取り付けることで、セードをランプの軸回りに回動自在に係止したものも知られている（例えば、特許文献２参照。）。そして、この特許文献２においては、前記セードがソケット及びランプに対して独立しており、セードのみを回動させることで照明の向きを調節できるようになっている。
【特許文献１】実開平６−５０１３０号公報
【特許文献２】実公平７−５１６９１号公報
【発明の開示】
【発明が解決しようとする課題】
【０００３】
しかしながら、特許文献１の構造においては、アームに対して可動な灯具が、セード、ソケット及びランプよりなるため重量が重くなってしまい、セードを静止させるためには、回動機構を締め付けたり、ストッパー機構を設けたりするなどの必要があり、構造が複雑になってしまうという問題があった。また、一度静止させたセードを動かそうとした場合、締め付けを緩めたりストッパー機構を解除したりする必要があり、扱いが面倒であった。更に、セードに対してソケット及びランプが取り付けられることになるため、セードのデザイン上の制約が生じてしまうという問題があった。また、後者の構造においては、可動部分の重量は軽くなるものの、セードとは別部品である止めカバーを用いてセードを取り付ける必要があり、セードの着脱が面倒であるばかりでなく、コストアップを招いていた。
【０００４】
本発明は以上の問題点を解決し、簡単且つ安価な構造で容易にセードの着脱及び回動ができると共に、デザイン上の自由度を高めた照明装置を提供することを目的とする。
【課題を解決するための手段】
【０００５】
本発明の請求項１に記載の電気スタンドは、ソケットを有する頭部と、この頭部のソケットに取り付けられる光源と、この光源を覆うセードよりなる灯具を有する電気スタンドにおいて、前記頭部又はセードの何れか一方に略円弧状の摺動受部を少なくとも一対形成し、これらの摺動受部に夫々対応して摺動可能に係合する突起部を前記セード又は頭部の何れか一方に設けると共に、前記各摺動受部を実質的に略平行に設け、且つ、前記各摺動受部に対応して設けられた前記突起部同士の突出方向を違えて形成したものである。
【０００６】
また、本発明の請求項２に記載の電気スタンドは、ソケットを有する頭部と、この頭部のソケットに取り付けられる光源と、この光源を覆うセードよりなる灯具を有する電気スタンドにおいて、前記頭部に、前記頭部の軸方向に並べて、略円弧状の摺動受部及び突起部を形成し、これらの摺動受部及び突起部に夫々対応して摺動可能に係合する突起部及び摺動受部を前記セードに設けると共に、前記各摺動受部を実質的に略平行に設け、且つ、前記頭部又はセードの一方に形成された前記摺動受部と突起部によって、前記セード又は頭部の他方に形成された前記摺動受部と突起部を挟むように、前記各突起部を、前記頭部の軸回り方向及び前記摺動受部の半径方向と交差する方向に突出して形成したものである。
【０００７】
また、本発明の請求項３に記載の電気スタンドは、請求項１乃至２において、前記突起部が、突出方向の異なる前記突起部同士を結んだ線に対して斜めに交差するか又は平行となる方向に突出して形成されたものである。
【０００８】
また、本発明の請求項４に記載の電気スタンドは、請求項１乃至２において、少なくとも、一つの前記摺動受部に対応する前記突起部を、前記セード又は頭部に設けられた弾性変形可能な腕部に設けたものである。
【発明の効果】
【０００９】
本発明の請求項１に記載の電気スタンドは、以上のように構成することにより、前記頭部又はセードの何れか一方に少なくとも一対設けられた略円弧状の摺動受部に、前記セード又は頭部の何れか一方に設けられた突起部を係合させることで、前記セードが前記頭部に対して取り付けられる。これによって、前記突起部を前記摺動受部に係合させるだけで、前記セードを前記頭部に対して簡単に取り付けることができ、前記突起部と摺動受部の係合を解くだけで、前記セードを前記頭部から簡単に取り外すことができ、更に、セードを単純な構造にできるため、デザイン上の自由度を広げることができる。また、前記突起部が略円弧状の前記摺動受部に沿って摺動するように前記セードを前記頭部に対して動かすことで、前記セードが前記頭部に対して回動するので、照明方向を簡単に調節することができる。
【００１０】
また、本発明の請求項２に記載の電気スタンドは、以上のように構成することにより、前記頭部に設けられた略円弧状の摺動受部及び突起部を、前記セードに設けられた突起部及び摺動受部と係合させることで、前記セードが前記頭部に対して取り付けられる。これによって、前記突起部を前記摺動受部に係合させるだけで、前記セードを前記頭部に対して簡単に取り付けることができ、前記突起部と摺動受部の係合を解くだけで、前記セードを前記頭部から簡単に取り外すことができ、更に、セードを単純な構造にできるため、デザイン上の自由度を広げることができる。また、前記突起部が略円弧状の前記摺動受部に沿って摺動するように前記セードを前記頭部に対して動かすことで、前記セードが前記頭部に対して回動するので、照明方向を簡単に調節することができる。
【００１１】
また、本発明の請求項３に記載の電気スタンドは、以上のように構成することにより、前記セードに、何れかの突起部又は摺動受部を支点として前記略円弧状の摺動受部の周方向と交差する方向に力が加わったとしても、突出方向の異なる突起部同士を結んだ線に対して、何れの前記突起部も斜めに交差するか又は平行となる方向に突出しているため、前記突起部又は摺動受部を支点とする前記摺動受部の周方向と交差する方向への回動が防止されることになるので、前記セードが前記頭部から容易には外れないようにすることができる。
【００１２】
更に、本発明の請求項４に記載の電気スタンドは、以上のように構成することにより、前記腕部に設けられた少なくとも一つの突起部を、対応する前記摺動受部に嵌め込むことで、前記腕部が弾性変形して前記突起部が前記摺動受部と係合するので、前記セードを前記頭部に対して簡単に取り付けることができる。
【発明を実施するための最良の形態】
【００１３】
以下、本発明の第一の実施形態について、図１乃至図７に基づいて説明する。１は電気スタンドの本体である。この本体１は、支柱部２と頭部３とで一体的に構成されている。また、前記本体１の支柱２には、基部４が着脱自在に取り付けられている。更に、前記本体１の頭部３には、セード５が着脱自在に取り付けられている。
【００１４】
前記支柱２は、下方が細く且つ前方に傾いて形成されている。また、前記支柱２の正面側には、スイッチ６が設けられていると共に、前記支柱２の背面側には突出部７が形成されており、この突出部７から電源コード８が延出している。また、前記支柱２の内部に設けられた転倒スイッチ９を開閉するためのプッシュロッド10が、前記支柱２の下端２Ａから下方に突出して設けられている。更に、前記支柱２の背面側における前記突出部７の下方には貫通孔11が形成されており、この貫通孔11の内部には雌螺子を有するナット12が設けられている。なお、前記貫通孔11は、前記突出部７の下方で且つ前記支柱２の下端からこの支柱２の長さの約１／４の位置に形成されている。また、前記支柱部２の断面形状は、非円形である。
【００１５】
また、前記頭部３は、前述したように、前記支柱部２に対して一体的に設けられている。そして、前記頭部３にはソケット13が設けられていると共に、このソケット13に対して、光源たるＦＰＬ型の蛍光灯14が着脱自在に取り付けられている。また、前記頭部３の上部前方には、略円弧状の摺接面15Ａを有する凹溝状の第一の摺動受部15が形成されていると共に、前記頭部３の上部後方には、略円弧状の摺接縁16Ａを有する長孔状の第二の摺動受部16が形成されている。そして、前記第一の摺動受部15の摺接面15Ａと、前記第二の摺動受部16の摺接縁16Ａは、互いに略並行に形成されている。また、前記摺接面15Ａ及び摺接縁16Ａには、後述する爪部23，25がそれぞれ係合して摺接する。なお、図７（ｂ）において、前記各摺動受部15，16は展開して記載されているので、円弧状となっていない。
【００１６】
前記基部４は、平坦な環状の基部本体17と、筒状の保持部18と、これら基部本体17と保持部18とを接続する接続部19とで一体に形成されている。そして、前記接続部19は、前記基部本体17の後方から斜め上後方に延びて形成されていると共に、前記保持部18は、前記支柱２の傾斜角度と略等しい傾斜角度となるように前方に傾斜して、前記接続部19に一体に接続されている。なお、前記保持部18の内面は、前記支柱２と同様に、断面が非円形に形成されていると共に、上方が広い形状に形成されている。また、前記保持部18の後方には、前記貫通孔11に対応して貫通孔20が形成されていると共に、これらの貫通孔20，11を貫いて前記ナット12と螺合するビス21が設けられている。そして、前記本体１の支柱２を前記基部４の保持部18に挿入し、前記貫通孔20，11を貫いて前記ビス21を前記ナット12と螺合させることによって、前記本体１の支柱２が前記基部４に固定される。この時、前記支柱２の下端２Ａは、前記基部本体17の下面と略同じ高さとなる。これによって、本実施形態の電気スタンドを机天板等の平面状の載置面に載置すると、この電気スタンドは、前記基部４の基部本体17と前記支柱２の下端２Ａによって支持されることになる。
【００１７】
前記セード５は、下方が開放した形状に形成されている。そして、このセード５は、前記頭部３及び蛍光灯14の上方を覆うようにして、前記頭部３に対して着脱自在に取り付けられている。そして、これら頭部３、蛍光灯14及びセード５によって、灯具Ｌが構成されている。また、前記セード５の後部には、弾性変形可能な腕部22が設けられていると共に、この腕部22の先端に、前記第一の摺動受部15に対応して突起部たる第一の爪部23が設けられている。また、前記セード５の後部には、下方に突出した突部24が設けられていると共に、この突部24の先端に、前記第二の摺動受部16に対応して突起部たる第二の爪部25が設けられている。なお、前記第一の爪部23は、略水平に後方に突出して形成されていると共に、前記第二の爪部25は、略水平に前方に突出して形成されている。即ち、前記第一の爪部23と第二の爪部25は、それぞれの突出方向の成す角度が略１８０度であると共に、それぞれを結んだ線に対してそれぞれ鋭角に交差する方向に突出していることになる。そして、前記セード５は、前記第二の摺動受部16に前記突部24を挿入して前記第二の爪部25を係合させ、前記第一の摺動受部15に前記第一の爪部23を係合させることで、前記頭部３に対して取り付けられる。なお、このようにして取り付けられたセード５は、前記円弧状の摺接面15Ａ及び摺接縁16Ａに沿って前記爪部23，25が摺動することによって、前記摺接面15Ａ及び摺接縁16Ａの円弧状の半径方向と直交する中心軸回りに回動可能となっている。
【００１８】
次に、本実施形態の電気スタンドの組み立て手順について説明する。まず使用者は、前記基部４の保持部18の上方から、前記本体１の支柱部２を差し込み、前記貫通孔11及び20の位置を合わせた後、これらの貫通孔11，20に前記ビス21を挿入し、前記ナット12と螺合させる。これによって、前記支柱部２が前記基部４に固定される。なお、前述したように、前記保持部18が筒状で且つ上方が広がった形状に形成されていると共に、前記支柱部２が、下端２Ａ側が細く形成されていることで、前記支柱部２を前記保持部18に対して容易に挿入することができるので、電気スタンドを容易に組み立てることができる。また、前述したように、前記支柱部２及び保持部18の断面形状が非円形に形成されていることで、前記支柱部２を前記保持部18に対して容易に位置合わせすることができる。そして、前記頭部３のソケット13に前記蛍光灯14を取り付けることで、この蛍光灯14を前記頭部３に保持させる。更に、これら頭部３及び蛍光灯14を上方から覆うように、前記セード５を頭部３に取り付ける。このようにして、電気スタンドが組み立てられる。なお、前記セード５の取り付け手順について詳述すると、まず使用者は、前記セード５の前方を高くした状態で、前記突部24を前記第二の摺動受部16に挿入した後、前記セード５を前方に移動させることで、前記第二の爪部25を前記摺接縁16Ａに係合させる。そして、この状態から前記セード５を前方に倒すことで、前記第一の爪部23を前記第一の摺動受部15の縁に当接させる。そして、この状態から更に前記セード５を倒すことで、前記腕部22が弾性変形し、前記第一の爪部23が前記第一の摺動受部15の縁を乗り越えて、前記第一の摺動受部15に係合する。この状態で、前記頭部３に形成された摺動受部15，16が、夫々前記セード５に形成された爪部23，25によって、前記頭部３の図示しない中心軸線（即ち回動軸）の前後方向から挟まれることになり、これによって、前記セード５が前記頭部３に対して取り付けられることになる。なお、前記蛍光灯14の交換等のために前記セード５を取り外す場合、このセード５の前側を使用者が持ち上げることで、前記腕部22が弾性変形し、前記第一の爪部23が前記第一の摺動受部15から外れるので、前記セード５を前記頭部３に取り付ける手順を逆に行うことで、前記頭部３から前記セード５を取り外すことができる。
【００１９】
次に、本実施形態の作用について説明する。まず使用者は、組み立てられた電気スタンドを、机天板等の載置面上に載置する。この時、前記電気スタンドは、前記基部４の基部本体17と、前記支柱部２の下端２Ａによって支えられる。また、前記電気スタンドが前記載置面上に載置されると、前記支柱部２の下端２Ａから突出しているプッシュロッド10が載置面によって押されることで、前記転倒スイッチ９が閉じる。更に、前記電源コード８の図示しない電源プラグを、同じく図示しない交流電源に接続し、前記スイッチ６を操作することで、前記蛍光灯14が点灯し、前記セード５によって配光される。
【００２０】
なお、前記蛍光灯14の光の照射方向を調節する場合、前記セード５を、前記頭部３の図示しない中心軸線回りに回動させる。この時、前記セード５に設けられた前記第一の爪部23が、前記頭部３に設けられた前記第一の摺動受部15の摺接面15Ａに沿って摺動すると共に、前記セード５に設けられた前記第二の爪部25が、前記頭部３に設けられた前記第二の摺動受部16の摺接縁16Ａに沿って摺動することで、前記セード５が前記頭部３の図示しない中心軸線回りに回動することになる。そして、前記セード５を前記頭部３に対して所定角度回動させると、前記爪部23，25の少なくとも何れか一方が、対応する前記摺動受部15，16の端部15Ｂ，15Ｃ，16Ｂ，16Ｃに当接することで、前記セード５のそれ以上の回動が規制される。このようにして、前記セード５を回動させることで、前記蛍光灯14からの光の照射方向を前記セード５の回動範囲内で任意に調節することができる。また、前記蛍光灯14の光の照射方向を調節する際に回動させる要素が前記セード５だけであるため、比較的軽い力で照射方向を調節することができるばかりでなく、配光のための構造を簡単にすることができる。
【００２１】
以上のように本発明は、ソケット13を有する頭部３と、前記ソケット13に取り付けられる光源たる蛍光灯14と、この蛍光灯14を覆うセード５よりなる灯具Ｌを有する電気スタンドにおいて、前記頭部３に略円弧状の第一及び第二の摺動受部15，16を形成し、これらの摺動受部15，16に夫々対応して摺動可能に係合する突起部たる第一及び第二の爪部23，25を前記セード５に設けると共に、前記各摺動受部15，16を略並行に設け、且つ、前記各爪部23，25同士の突出方向が正反対となるように形成したことで、前記各摺動受部15，16に、夫々爪部23，25を係合させることで、前記セード５が前記頭部３に対して回動可能な状態で簡単に取り付けることができ、前記各摺動受部15，16と各突起部23，25の係合を解くだけで、前記セード５を前記頭部３から簡単に取り外すことができるものである。
【００２２】
また、本発明は、前記各爪部23，25同士を結んだ線に対して、前記各爪部23，25が斜めに交差する方向に突出して形成されたことで、前記セード５に、何れかの爪部23，25を支点として前記摺動受部15，16の周方向と交差する方向に力が加わったとしても、前述した力の方向への前記セード５の回動が防止されるので、前記セード５が前記頭部３から容易には外れないようにすることができるものである。
【００２３】
更に、本発明は、前記第一の爪部23を、弾性変形可能な腕部22の先端に設けたことで、前記第一の爪部23を、前記第一の摺動受部15に嵌め込むことで、前記腕部22が弾性変形して前記第一の爪部23が前記第一の摺動受部15と係合するので、前記セード５を前記頭部３に対して簡単に取り付けることができるものである。
【００２４】
次に、本発明の他の実施形態について、図８から図１２に基づいて説明する。なお、前記図８から図１２において、右側が正面側である。また、これらの実施形態については、要部のみ模式的に説明し、それ以外の説明を省略する。また、これらの実施形態の作用についても、基本的には前述した第一の実施形態と共通するので、その説明を省略する。
【００２５】
まず、本発明の第二の実施形態について、図８に基づいて説明する。この実施形態では、頭部３に第一の摺動受部30と第二の摺動受部31が、前記頭部３の図示しない中心軸線（即ち回動軸）の前後方向に並んで軸回り方向に形成されている。そして、これらの摺動受部30，31には、夫々略円弧状の摺接面30Ａ，31Ａが形成されている。なお、図８（ｂ）において、前記各摺動受部30，31は展開して記載されているので、円弧状となっていない。また、前記頭部３の前方に形成された前記第一の摺動受部30は、後方が開放していると共に、前記頭部３の後方に形成された前記第二の摺動受部31は、前方が開放している。そして、前記セード５には、弾性変形可能な腕部32が形成されていると共に、この腕部32の先端に、前記第一の摺動受部30に対応して、突起部たる第一の爪部33が形成されている。また、前記セード５には、突部34が下方に延びて形成されていると共に、この突部34の下端に、前記第二の摺動受部31に対応して、突起部たる第二の爪部35が形成されている。なお、前側の前記腕部32は、前下方に延びて形成されていると共に、前記第一の爪部33は、前方に略水平に突出して形成されている。また、前記第二の爪部35は、前記突部34の下端で後方に略水平に突出して形成されている。そして、前記セード５に形成された各爪部33，35が、前記頭部３に形成された各摺動受部30，31によって、夫々前記頭部３の図示しない中心軸線（即ち回動軸）の前後方向から挟まれることになり、これによって、前記セード５が前記頭部３に対して取り付けられることになる。なお、この実施形態における前記セード５の動きは、前記第一の実施形態と同様である。
【００２６】
次に、本発明の第三の実施形態について、図９に基づいて説明する。この実施形態では、頭部３に第一の摺動受部36と第二の摺動受部37が、前記頭部３の図示しない中心軸線（即ち回動軸）の前後方向に並んで軸回り方向に形成されている。そして、これらの摺動受部36，37には、夫々略円弧状の摺接面36Ａ，37Ａが形成されている。なお、図９（ｂ）において、前記各摺動受部36，37は展開して記載されているので、円弧状となっていない。また、前記頭部３の前方に形成された前記第一の摺動受部36は、前方が開放していると共に、前記頭部３の後方に形成された前記第二の摺動受部37は、後方が開放している。そして、前記セード５には、二本の弾性変形可能な腕部38，38が形成されていると共に、これらの腕部38，38の先端に、前記第一の摺動受部36に対応して、夫々突起部たる第一の爪部39，39が形成されている。また、前記セード５には、二つの突部40，40が下方に延びて形成されていると共に、これらの突部40，40の下端に、前記第二の摺動受部37に対応して、夫々突起部たる第二の爪部41，41が形成されている。なお、前側の前記腕部38，38は、夫々後下方に延びて形成されていると共に、前記第一の爪部39，39は、夫々後方に略水平に突出して形成されている。また、前記第二の爪部41，41は、夫々前記突部40，40の下端で前方に略水平に突出して形成されている。そして、前記頭部３に形成された各摺動受部36，37が、前記セード５に形成された各爪部39，39，41，41によって、夫々前記頭部３の図示しない中心軸線（即ち回動軸）の前後方向から挟まれることになり、これによって、前記セード５が前記頭部３に対して取り付けられることになる。なお、この実施形態における前記セード５の動きは、前記各実施形態と同様である。
【００２７】
次に、本発明の第四の実施形態について、図１０に基づいて説明する。この実施形態では、頭部３に第一の摺動受部42と、第二の摺動受部43と、第三の摺動受部44と、第四の摺動受部45が形成されている。なお、前記第一の摺動受部42と第二の摺動受部43は、前記頭部３の図示しない中心軸線（即ち回動軸）回り方向に並んで形成されていると共に、前記第三の摺動受部44と第四の摺動受部45も、前記頭部３の図示しない中心軸線（即ち回動軸）の軸回り方向に並んで形成されている。そして、前記第一及び第二の摺動受部42，43は、前記第三及び第四の摺動受部44，45に対して、前記頭部３の図示しない中心軸線の前後方向に並んで形成されている。そして、これらの摺動受部42，43，44，45には、夫々略円弧状の摺接面42Ａ，43Ａ，44Ａ，45Ａが形成されている。なお、図１０（ｂ）において、前記各摺動受部42，43，44，45は展開して記載されているので、円弧状となっていない。また、前記頭部３の前方に形成された前記第一及び第二の摺動受部42，43は、前方が開放していると共に、前記頭部３の後方に形成された前記第三及び第四の摺動受部44，45は、後方が開放している。そして、前記セード５には、前記第一及び第二の摺動受部42，43に夫々対応して、弾性変形可能な腕部46，47が形成されていると共に、これらの腕部46，47の先端に、前記第一及び第二の摺動受部42，43に対応して、夫々突起部たる第一の爪部48及び第二の爪部49が形成されている。また、前記セード５には、前記第三及び第四の摺動受部44，45に夫々対応して、突部50，51が下方に延びて形成されていると共に、これらの突部50，51の下端に、前記第三及び第四の摺動受部44，45に対応して、夫々突起部たる第三の爪部52及び第四の爪部53が形成されている。なお、前側の前記腕部46，47は、夫々後下方に延びて形成されていると共に、前記第一及び第二の爪部48，49は、夫々後方に略水平に突出して形成されている。また、前記第三及び第四の爪部52，53は、夫々前記突部50，51の下端で前方に略水平に突出して形成されている。そして、前記頭部３に形成された各摺動受部42，43，44，45が、前記セード５に形成された各爪部48，49，52，53によって、夫々前記頭部３の図示しない中心軸線（即ち回動軸）の前後方向から挟まれることになり、これによって、前記セード５が前記頭部３に対して取り付けられることになる。なお、この実施形態における前記セード５の動きは、前記各実施形態と同様である。
【００２８】
次に、本発明の第五の実施形態について、図１１に基づいて説明する。この実施形態では、頭部３に第一の摺動受部54、第二の摺動受部55、第三の摺動受部56が、前記頭部３の図示しない中心軸線（即ち回動軸）の前後方向に並んで軸回り方向に形成されている。そして、これらの摺動受部54，55，56には、夫々略円弧状の摺接面54Ａ，55Ａ，56Ａが形成されている。なお、図１１（ｂ）において、前記各摺動受部54，55，56は展開して記載されているので、円弧状となっていない。また、前記頭部３の前方に形成された前記第一の摺動受部54は、前方が開放していると共に、前記頭部３の中央に形成された前記第二の摺動受部55及び前記頭部３の後方に形成された前記第三の摺動受部56は、後方が開放している。そして、前記セード５には、弾性変形可能な腕部57が形成されていると共に、この腕部57の先端に、前記第一の摺動受部54に対応して、突起部たる第一の爪部58が形成されている。また、前記セード５には、夫々前記第二及び第三の摺動受部55，56に対応して、前後に並んで二つの突部59，60が下方に延びて形成されていると共に、これらの突部59，60の下端に、前記第二及び第三の摺動受部55，56に対応して、夫々突起部たる第二の爪部61及び第三の爪部62が形成されている。なお、前側の前記腕部57は、後下方に延びて形成されていると共に、前記第一の爪部58は、後方に略水平に突出して形成されている。また、前記第二及び第三の爪部61，62は、夫々前記突部59，60の下端で前方に略水平に突出して形成されている。そして、前記頭部３に形成された各摺動受部54，55，56が、前記セード５に形成された各爪部58，61，62によって、夫々前記頭部３の図示しない中心軸線（即ち回動軸）の前後方向から挟まれることになり、これによって、前記セード５が前記頭部３に対して取り付けられることになる。なお、この実施形態における前記セード５の動きは、前記各実施形態と同様である。
【００２９】
次に、本発明の第六の実施形態について、図１２に基づいて説明する。この実施形態では、頭部３に第一の摺動受部63と第二の摺動受部64が、前記頭部３の図示しない中心軸線（即ち回動軸）の前後方向に並んで軸回り方向に形成されている。そして、これらの摺動受部63，64には、夫々略円弧状の摺接面63Ａ，64Ａが形成されている。なお、図１２（ｂ）において、前記各摺動受部63，64は展開して記載されているので、円弧状となっていない。また、前記頭部３の前方に形成された前記第一の摺動受部63は、前方斜め上が開放していると共に、前記頭部３の後方に形成された前記第二の摺動受部64は、後方から後方斜め上にかけて開放している。そして、前記セード５には、弾性変形可能な腕部65が形成されていると共に、この腕部65の先端に、前記第一の摺動受部63に対応して、突起部たる第一の爪部66が形成されている。また、前記セード５には、突部67が下方に延びて形成されていると共に、この突部67の下端に、前記第二の摺動受部64に対応して、突起部たる第二の爪部68が形成されている。なお、前側の前記腕部65は、後斜め下方に延びて形成されていると共に、前記第一の爪部66も、後斜め下方に突出して形成されている。また、前記第二の爪部68は、前記突部67の下端で前斜め下方に突出して形成されている。そして、前記頭部３に形成された各摺動受部63，64が、前記セード５に形成された各爪部66，68によって、夫々前記頭部３の図示しない中心軸線（即ち回動軸）の前後方向から挟まれることになり、これによって、前記セード５が前記頭部３に対して取り付けられることになる。なお、この実施形態における前記セード５の動きは、前記第一の実施形態と同様である。
【００３０】
次に、本発明の第七の実施形態について、図１３に基づいて説明する。この実施形態では、頭部３に、第一の摺動受部69が前記頭部３の図示しない中心軸線（即ち回動軸）の軸回り方向に形成されていると共に、前記頭部３の図示しない中心軸線（即ち回動軸）の前後方向に並んで、突部70が形成されており、この突部70の上端に、突起部たる第一の爪部71が形成されている。そして、前記第一の摺動受部69には、略円弧状の摺接面69Ａが形成されている。また、前記頭部３の前方に形成された前記第一の摺動受部69は、前方が開放している。また、前記第一の爪部71は、前記突部70の上端で後方に突出して形成されている。そして、前記セード５には、弾性変形可能な腕部72が形成されており、この腕部72の先端に、前記第一の摺動受部69に対応して、突起部たる第二の爪部73が形成されていると共に、この第二の爪部73の後方に、前記第一の爪部71に対応して、第二の係合受部74が、前記頭部３の図示しない中心軸線（即ち回動軸）の軸回り方向に形成されている。そして、前記第二の摺動受部74には、略円弧状の摺接面74Ａが形成されている。なお、前記腕部72は、後斜め下方に延びて形成されていると共に、前記第二の爪部73は、後方に突出して形成されている。また、前記第二の摺動受部74は、前方が開放している。なお、図１３（ｂ）において、前記各摺動受部69，74は展開して記載されているので、円弧状となっていない。そして、前記頭部３に形成された第一の摺動受部69と第一の爪部71が、前記セード５に形成された前記第二の爪部73と前記第二の摺動受部74によって、夫々前記頭部３の図示しない中心軸線（即ち回動軸）の前後方向から挟まれることになり、これによって、前記セード５が前記頭部３に対して取り付けられることになる。なお、この実施形態における前記セード５の動きは、前記第一の実施形態と同様である。
【００３１】
なお、本発明は以上の実施形態に限定されるものではなく、発明の要旨の範囲内で種々の変形が可能である。例えば、上記各実施形態では、頭部に摺動受部を形成し、セードに突起部たる爪部を形成しているが、前記頭部に前記爪部を形成し、前記セードに前記摺動受部を形成しても良い。また、前記各実施形態同士を組み合わせて実施しても良い。
【図面の簡単な説明】
【００３２】
【図１】本発明の第一の実施形態を示す電気スタンドの正面図である。
【図２】同上、側面図である。
【図３】同上、基部を分離した状態を示す側面図である。
【図４】同上、基部と支柱部の保持位置周辺の拡大断面図である。
【図５】同上、頭部の拡大側面図である。
【図６】同上、頭部とセードの結合位置周辺の拡大断面図である。
【図７】同上、摺動受部と爪部（突起部）を模式化した説明図であり、（ａ）は断面図、（ｂ）は展開した透視平面図である。
【図８】本発明の第二の実施形態を示す電気スタンドの摺動受部と爪部（突起部）を模式化した説明図であり、（ａ）は断面図、（ｂ）は展開した透視平面図である。
【図９】本発明の第三の実施形態を示す電気スタンドの摺動受部と爪部（突起部）を模式化した説明図であり、（ａ）は断面図、（ｂ）は展開した透視平面図である。
【図１０】本発明の第四の実施形態を示す電気スタンドの摺動受部と爪部（突起部）を模式化した説明図であり、（ａ）は断面図、（ｂ）は展開した透視平面図である。
【図１１】本発明の第五の実施形態を示す電気スタンドの摺動受部と爪部（突起部）を模式化した説明図であり、（ａ）は断面図、（ｂ）は展開した透視平面図である。
【図１２】本発明の第六の実施形態を示す電気スタンドの摺動受部と爪部（突起部）を模式化した説明図であり、（ａ）は断面図、（ｂ）は展開した透視平面図である。
【図１３】本発明の第七の実施形態を示す電気スタンドの摺動受部と爪部（突起部）を模式化した説明図であり、（ａ）は断面図、（ｂ）は展開した透視平面図である。
【符号の説明】
【００３３】
３  頭部
５  セード
13  ソケット
14  蛍光灯（光源）
15，30，36，42，54，63，69  第一の摺動受部
16，31，37，43，55，64，74  第二の摺動受部
22，32，38，46，47，57，65，72  腕部
23，33，39，48，58，66，71  第一の爪部（突起部）
25，35，41，49，61，68，73  第二の爪部（突起部）
44，56  第三の摺動受部
45  第四の摺動受部
52，62  第三の爪部（突起部）
53  第四の爪部（突起部）
Ｌ  灯具
【図１】
2005203136.tif 000003
【図２】
2005203136.tif 000004
【図３】
2005203136.tif 000005
【図４】
2005203136.tif 000006
【図５】
2005203136.tif 000007
【図６】
2005203136.tif 000008
【図７】
2005203136.tif 000009
【図８】
2005203136.tif 000010
【図９】
2005203136.tif 000011
【図１０】
2005203136.tif 000012
【図１１】
2005203136.tif 000013
【図１２】
2005203136.tif 000014
【図１３】
2005203136.tif 000015